(57)【要約】【課題】  駐車場からの出庫時における利用者の利便性を向上させる駐車場管理システム、駐車場管理方法、管理サーバおよびそのプログラムを提供する。【解決手段】  駐車場利用者は入庫の際に駐車場端末システム１０で駐車予定時間数を入力する。駐車場端末システム１０はユーザ端末２０のメール情報を取得し、管理サーバ４０に駐車予定時間数とユーザ端末２０のメール情報を送信する。管理サーバ４０は受信した駐車予定時間数を基にした入庫車情報から案内情報を生成し表示装置３０に送信する。表示装置３０は受信した案内情報を基に当該駐車場の利用状況を表示する。管理サーバ４０は出庫予定時刻の一定時間前で且つ未だ出庫していない場合に、出庫時刻到来通知と積算金額をユーザ端末２０に送信する。【選択図】      図１
2008003975.tif 000002
【特許請求の範囲】
【請求項１】
駐車場端末システムと管理サーバとユーザ端末とがネットワークで相互に接続された駐車場管理システムであって、
前記駐車場端末システムは、駐車場への車両の入庫時刻と駐車予定時間数と前記ユーザ端末の連絡先情報とを対応付けて前記管理サーバに送信し、
前記管理サーバは、前記駐車場端末システムから受信した車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知を前記ユーザ端末へ送信する、
ことを特徴とする駐車場管理システム。
【請求項２】
前記管理サーバは、前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新する、
ことを特徴とする請求項１記載の駐車場管理システム。
【請求項３】
前記管理サーバは、前記駐車予定時間数に基づいて駐車料金を計算して積算金額通知を生成して前記ユーザ端末へ送信する、
ことを特徴とする請求項１または２に記載の駐車場管理システム。
【請求項４】
前記管理サーバは、前記記憶領域に登録されている前記出庫予定時刻に基づいて前記駐車場の利用状況を示す案内情報を生成して前記ユーザ端末または表示装置へ送信する、
ことを特徴とする請求項１乃至３のいずれかに記載の駐車場管理システム。
【請求項５】
前記管理サーバは、前記出庫予定時刻と現在時刻とを比較し、現在時刻が出庫予定時刻情報を超過していれば、出庫予定時刻超過通知を生成して前記ユーザ端末へ送信する、
ことを特徴とする請求項１乃至４のいずれかに記載の駐車場管理システム。
【請求項６】
駐車場端末システムが、駐車場への車両の入庫時刻と駐車予定時間数とユーザ端末の連絡先情報とを対応付けて管理サーバに送信し、
前記管理サーバが、前記駐車場端末システムから受信した車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知を前記ユーザ端末へ送信する、
ことを特徴とする駐車場管理方法。
【請求項７】
前記管理サーバが、前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新する、
ことを特徴とする請求項６記載の駐車場管理方法。
【請求項８】
前記管理サーバが、前記駐車予定時間数に基づいて駐車料金を計算して積算金額通知を生成して前記ユーザ端末へ送信する、
ことを特徴とする請求項６または７に記載の駐車場管理方法。
【請求項９】
前記管理サーバが、前記記憶領域に登録されている前記出庫予定時刻に基づいて前記駐車場の利用状況を示す案内情報を生成して前記ユーザ端末または表示装置へ送信する、
ことを特徴とする請求項６乃至８のいずれかに記載の駐車場管理方法。
【請求項１０】
前記管理サーバが、現在時刻と前記出庫予定時刻とを比較し、現在時刻が前記出庫予定時刻情報を超過していれば、出庫予定時刻超過通知を生成して前記ユーザ端末へ送信する、
ことを特徴とする請求項６乃至９のいずれかに記載の駐車場管理方法。
【請求項１１】
駐車場端末システムから駐車場への車両の入庫時刻と駐車予定時間数とユーザ端末の連絡先情報とを受信し、車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知をユーザ端末へ送信する、
ことを特徴とする管理サーバ。
【請求項１２】
前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新する、
ことを特徴とする請求項１１記載の管理サーバ。
【請求項１３】
前記駐車予定時間数に基づいて駐車料金を計算して積算金額通知を生成して前記ユーザ端末へ送信する、
ことを特徴とする請求項１１または１２に記載の管理サーバ。
【請求項１４】
前記記憶領域に登録されている前記出庫予定時刻に基づいて前記駐車場の利用状況を示す案内情報を生成して前記ユーザ端末または表示装置へ送信する、
ことを特徴とする請求項１１乃至１３のいずれかに記載の管理サーバ。
【請求項１５】
現在時刻と前記出庫予定時刻とを比較し、現在時刻が前記出庫予定時刻情報を超過していれば、出庫予定時刻超過通知を生成して前記ユーザ端末へ送信する、
ことを特徴とする請求項１１乃至１４のいずれかに記載の管理サーバ。
【請求項１６】
駐車場端末システムから駐車場への車両の入庫時刻と駐車予定時間数とユーザ端末の連絡先情報とを受信し、車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知をユーザ端末へ送信する、
処理を管理サーバに行わせることを特徴とするプログラム。
【請求項１７】
前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新する、
処理を管理サーバに行わせることを特徴とする請求項１６記載のプログラム。
【請求項１８】
前記駐車予定時間数に基づいて駐車料金を計算して積算金額通知を生成して前記ユーザ端末へ送信する、
処理を管理サーバに行わせることを特徴とする請求項１６または１７に記載のプログラム。
【請求項１９】
前記記憶領域に登録されている前記出庫予定時刻に基づいて前記駐車場の利用状況を示す案内情報を生成して前記ユーザ端末または表示装置へ送信する、
処理を管理サーバに行わせることを特徴とする請求項１６乃至１８のいずれかに記載のプログラム。
【請求項２０】
現在時刻と前記出庫予定時刻とを比較し、現在時刻が前記出庫予定時刻情報を超過していれば、出庫予定時刻超過通知を生成して前記ユーザ端末へ送信する、
処理を管理サーバに行わせることを特徴とする請求項１６乃至１９のいずれかに記載のプログラム。
【発明の詳細な説明】
【技術分野】
【０００１】
本発明は、駐車場管理システム、駐車場管理方法、管理サーバおよびそのプログラムに関し、特に、出庫に関するサービスを行う駐車場管理システム、駐車場管理方法、管理サーバおよびそのプログラムに関する。
【背景技術】
【０００２】
従来の駐車場管理システムの一例が特許文献１に記載されている。この駐車場管理システムは、車両検出手段と制御装置とを備え、車両検出手段は駐車スペースの駐車状況を検出し、制御装置は車両検出手段の検出結果を基に駐車場の駐車状況を管理する。そして、車両の駐車は制御装置に入力した駐車予定設定に従って行い、駐車状況は前記駐車予約設定を基に管理される。また、ホームページ上に駐車場の空き状態、空き予定を掲載し、駐車場を利用しようとする利用者にそれらの情報を提供することにより、駐車場での入庫時の待ち時間を解消し、利用者の利便性を向上させようとするものである。
【０００３】
【特許文献１】特開２００５−９２５５７号公報
【発明の開示】
【発明が解決しようとする課題】
【０００４】
しかしながら、上述した従来の駐車場管理システムにおいては、駐車場からの出庫時における利用者の利便性を向上させるための情報は提供されていなかった。
【０００５】
本発明の目的は、駐車場からの出庫時における利用者の利便性を向上させる駐車場管理システム、駐車場管理方法、管理サーバおよびそのプログラムを提供することにある。
【課題を解決するための手段】
【０００６】
本発明の第１の駐車場管理システムは、駐車場端末システムと管理サーバとユーザ端末とがネットワークで相互に接続された駐車場管理システムであって、前記駐車場端末システムが、駐車場への車両の入庫時刻と駐車予定時間数と前記ユーザ端末の連絡先情報とを対応付けて前記管理サーバに送信し、前記管理サーバが、前記駐車場端末システムから受信した車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知を前記ユーザ端末へ送信する、ことを特徴とする。
【０００７】
本発明の第２の駐車場管理システムは、第１の駐車場管理システムにおいて、前記管理サーバが、前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新することを特徴とする。
【０００８】
本発明の第３の駐車場管理システムは、第１または第２の駐車場管理システムにおいて、前記管理サーバが、前記駐車予定時間数に基づいて駐車料金を計算して積算金額通知を生成して前記ユーザ端末へ送信する、ことを特徴とする。
【０００９】
本発明の第４の駐車場管理システムは、第１乃至第３のいずれかの駐車場管理システムにおいて、前記管理サーバが、前記記憶領域に登録されている前記出庫予定時刻に基づいて前記駐車場の利用状況を示す案内情報を生成して前記ユーザ端末または表示装置へ送信する、ことを特徴とする。
【００１０】
本発明の第５の駐車場管理システムは、第１乃至第４の駐車場管理システムにおいて、前記管理サーバが、前記出庫予定時刻と現在時刻とを比較し、現在時刻が出庫予定時刻情報を超過していれば、出庫予定時刻超過通知を生成して前記ユーザ端末へ送信する、ことを特徴とする。
【００１１】
本発明の第１の駐車場管理方法は、駐車場端末システムが、駐車場への車両の入庫時刻と駐車予定時間数とユーザ端末の連絡先情報とを対応付けて管理サーバに送信し、前記管理サーバが、前記駐車場端末システムから受信した車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知を前記ユーザ端末へ送信する、ことを特徴とする。
【００１２】
本発明の第２の駐車場管理方法は、第１の駐車場管理方法において、前記管理サーバが、前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新することを特徴とする。
【００１３】
本発明の第３の駐車場管理方法は、第１または第２の駐車場管理方法において、前記管理サーバが、前記駐車予定時間数に基づいて駐車料金を計算して積算金額通知を生成して前記ユーザ端末へ送信する、ことを特徴とする。
【００１４】
本発明の第４の駐車場管理方法は、第１乃至第３のいずれかの駐車場管理方法において、前記管理サーバが、前記記憶領域に登録されている前記出庫予定時刻に基づいて前記駐車場の利用状況を示す案内情報を生成して前記ユーザ端末または表示装置へ送信する、ことを特徴とする。
【００１５】
本発明の第５の駐車場管理方法は、第１乃至第４のいずれかの駐車場管理方法において、前記管理サーバが、現在時刻と前記出庫予定時刻とを比較し、現在時刻が前記出庫予定時刻情報を超過していれば、出庫予定時刻超過通知を生成して前記ユーザ端末へ送信する、ことを特徴とする。
【００１６】
本発明の第１の管理サーバは、駐車場端末システムから駐車場への車両の入庫時刻と駐車予定時間数とユーザ端末の連絡先情報とを受信し、車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知をユーザ端末へ送信する、ことを特徴とする。
【００１７】
本発明の第２の管理サーバは、第１の管理サーバにおいて、前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新することを特徴とする。
【００１８】
本発明の第３の管理サーバは、第１または第２の管理サーバにおいて、前記駐車予定時間数に基づいて駐車料金を計算して積算金額通知を生成して前記ユーザ端末へ送信する、ことを特徴とする。
【００１９】
本発明の第４の管理サーバは、第１乃至第３のいずれかの管理サーバにおいて、前記記憶領域に登録されている前記出庫予定時刻に基づいて前記駐車場の利用状況を示す案内情報を生成して前記ユーザ端末または表示装置へ送信する、ことを特徴とする。
【００２０】
本発明の第５の管理サーバは、第１乃至第４のいずれかの管理サーバにおいて、現在時刻と前記出庫予定時刻とを比較し、現在時刻が前記出庫予定時刻情報を超過していれば、出庫予定時刻超過通知を生成して前記ユーザ端末へ送信する、ことを特徴とする。
【００２１】
本発明の第１のプログラムは、駐車場端末システムから駐車場への車両の入庫時刻と駐車予定時間数とユーザ端末の連絡先情報とを受信し、車両の入庫時刻と駐車予定時間数とに基づいて当該車両の出庫予定時刻を計算して記憶領域に登録するとともに、当該出庫予定時刻までの残り時間が所定の時間以下になった場合に出庫予定時刻到来通知をユーザ端末へ送信する、処理を管理サーバに行わせることを特徴とする。
【００２２】
本発明の第２のプログラムは、第１のプログラムにおいて、前記ユーザ端末から前記出庫予定時刻の変更通知を受信した場合、前記記憶領域に登録した変更対象の出庫予定時刻を変更後の出庫予定時刻で更新するとともに、当該変更後の出庫予定時刻に整合するように前記駐車予定時間数を更新する、処理を管理サーバに行わせることを特徴とする。
【００２３】
本発明の第３のプログラムは、第１または第２のプログラムにおいて、前記駐車予定時間数に基づいて駐車料金を計算して積算金額通知を生成して前記ユーザ端末へ送信する、処理を管理サーバに行わせることを特徴とする。
【００２４】
本発明の第４のプログラムは、第１乃至第３のいずれかのプログラムにおいて、前記記憶領域に登録されている前記出庫予定時刻に基づいて前記駐車場の利用状況を示す案内情報を生成して前記ユーザ端末または表示装置へ送信する、処理を管理サーバに行わせることを特徴とする。
【００２５】
本発明の第５のプログラムは、第１乃至第４のプログラムにおいて、現在時刻と前記出庫予定時刻とを比較し、現在時刻が前記出庫予定時刻情報を超過していれば、出庫予定時刻超過通知を生成して前記ユーザ端末へ送信する、処理を管理サーバに行わせることを特徴とする。
【発明の効果】
【００２６】
本発明は、駐車場を利用している利用者が当該駐車場からの出庫予定情報と積算金額を事前に確認することができるという効果を有している。
【００２７】
その理由は、利用者が事前に入力した駐車予定時間数に基づいて、当該利用者に対して出庫予定時刻到来通知と積算金額とを電子メールで通知するようにしたからである。
【発明を実施するための最良の形態】
【００２８】
以下に、本発明を実施するための最良の形態について、図面を用いて詳細に説明する。
【００２９】
図１を参照すると、本発明の第１の実施の形態は、駐車場端末システム１０と、ユーザ端末２０と、表示装置３０と、管理サーバ４０とを含んでいる。駐車場端末システム１０、ユーザ端末２０、表示装置３０、および管理サーバ４０は、通信ネットワーク１００を介して相互に接続されている。
【００３０】
駐車場端末システム１０は、プログラム制御で動作する情報処理装置であり、例えばパーソナルコンピュータなどである。
【００３１】
図２を参照すると、駐車場端末システム１０は、メール情報取得部１０１と、入力装置１０２と、通信装置１０３と、発券機１０４とを有している。メール情報は、出庫予定時刻の一定時間前に、出庫予定時刻を利用者のユーザ端末２０へ送信するために利用される。
【００３２】
メール情報取得部１０１は、利用者の特定をするために駐車場利用者のユーザ端末２０からメール情報を取得する。メール情報取得部１０１は、ユーザ端末２０を駐車場端末システム１０に接続させることにより当該ユーザ端末２０のメール情報を取得するが、無線でも赤外線通信でもメール情報を受信できればよく、有線での接続に限定するものではない。また、駐車場の利用者にユーザ端末２０のメール情報を入力装置１０２から入力させてもよい。本実施の形態では、管理サーバ４０からユーザ端末２０が受信する情報をメールとしているので、前述のメール情報は、ユーザ端末２０のメールアドレスであるが、管理サーバ４０から受信する情報はメールの形態ではなくてもよいので、その場合にはメール情報と称しているものはＩＰアドレスのような情報の送信先を特定するための情報となる。
【００３３】
入力装置１０２は、駐車場利用者が入庫時に駐車予定時間数を入力する装置である。入力装置１０２は、例えば、キーボードやテンキーパッドなどである。
【００３４】
通信装置１０３は、駐車場利用者が入庫時に入力した駐車予定時間数とメール情報取得部１０１が取得したユーザ端末２０のメール情報と入庫時刻とを管理サーバ４０へ送信する。
【００３５】
発券機１０４は、駐車場利用者に対して駐車券を発券する。より詳細には、時刻機構（図示せず）から現在時刻を取得して入庫時刻として記憶し、その後に駐車券を発券する。
【００３６】
ユーザ端末２０は、メール機能を有する携帯端末等の情報処理装置であり、プログラム制御で動作する。
【００３７】
図３を参照すると、ユーザ端末２０は、受信手段２０１と、送信手段２０２と、出庫予定変更時刻入力手段２０３と、表示手段２０４とを備えている。
【００３８】
受信手段２０１は、管理サーバ４０が提供している情報を受信して記憶部（図示せず）に格納する。
【００３９】
送信手段２０２は、管理サーバ４０に情報を送信する。例えば、出庫予定変更時刻入力手段２０３で入力された出庫予定変更時刻を管理サーバ４０に送信する。
【００４０】
出庫予定変更時刻入力手段２０３は、出庫予定時刻の変更が起こった場合に、変更する出庫予定時刻（出庫予定変更時刻）を入力する。
【００４１】
表示手段２０４は、受信手段２０１が受信した情報を表示部（図示せず。例えば、液晶画面等）に表示する。
【００４２】
表示装置３０は、駐車場入り口や周辺などに設置される情報表示装置であり、例えば液晶ディスプレイ装置などである。
【００４３】
図４を参照すると、表示装置３０は、受信手段３０１と、表示手段３０２とを含む。
【００４４】
受信手段３０１は、管理サーバ４０より案内情報を受信する。
【００４５】
表示手段３０２は、受信手段３０１が受信した案内情報を表示する。案内情報には、当該駐車場に駐車中の利用者の利用状況を含む。利用者は利用状況に基づき、当該駐車場の利用について、意思を決定する。例えば、駐車場が満車となっている場合に、利用予定者は表示画面に表示されている「現在駐車中の車の出庫予定状況」を見て、待つか別の駐車場を探すかを決める。
【００４６】
管理サーバ４０は、駐車場の管理所に設置されているワークステーション・サーバ等の情報処理装置であり、プログラム制御で動作する。
【００４７】
図５を参照すると、管理サーバ４０は、受信手段４０１と、生成手段４０２と、送信手段４０３とを備えている。
【００４８】
また、管理サーバ４０は、管理テーブルを有している。管理テーブルの例を図１０に示す。
【００４９】
図１０を参照すると、管理テーブルは、ユーザ端末のメール情報，入庫時刻，駐車予定時間数，出庫予定時刻，および変更した出庫予定時刻の項目を含んでいる。
【００５０】
受信手段４０１は、駐車場端末システム１０から通信ネットワーク１００と通信装置１０３を介して情報（入庫時刻，駐車予定時間数，ユーザ端末のメール情報など）を受信する。そして、受信したユーザ端末のメール情報，入庫時刻，および駐車予定時間数を管理テーブルに格納する。また、ユーザ端末２０から情報（変更する出庫予定時刻など）を受信し、受信した変更する出庫予定時刻を管理テーブルに格納する。また、受信手段４０１は、メール受信機能を含んでいる。
【００５１】
生成手段４０２は、駐車場端末システム１０から受信した情報とユーザ端末２０から受信した情報とからユーザ端末２０と表示装置３０宛の情報を生成する。例えば、出庫予定時刻情報（出庫予定時刻＝入庫時刻＋駐車予定時間数）を基に入庫車情報を生成する。また、時刻機構（図示せず）から現在時刻を取得し、出庫予定時刻情報（出庫予定時刻＝入庫時刻＋駐車予定時間数）から現在時刻を減算する。減算した結果が予め定めた一定時間（例えば１０分）以内であれば、ユーザ端末２０に通知する出庫予定時刻到来通知を生成する。また、出庫予定時刻情報と現在時刻とを比較し、出庫予定時刻情報＝＜現在時刻であれば、出庫予定時刻超過通知を生成する。出庫予定時刻超過通知には、以降に発生する駐車料金に対する情報も記載する。また、駐車予定時間数と時間当たりの駐車料とから駐車料金を算出し、ユーザ端末２０に通知する積算金額通知を生成する。また、管理テーブルを参照して、駐車許容台数，現在利用台数（現在駐車台数），現在利用可能台数（駐車許容台数−現在利用台数）、残り時間毎の出庫予定台数（例えば１０分以内に５台）などを算出して、駐車場の利用状況を示す情報（案内情報）を生成する。また、ユーザ端末２０から受信した変更する出庫予定時刻（出庫予定変更時刻）を基に、入庫車情報、利用状況を示す情報（案内情報）、および積算金額通知を再生成する。なお、予め定めた一定時間、時間当たりの駐車料、および駐車許容台数は、記憶部（図示せず）に予め記憶されている。
【００５２】
送信手段４０３は、生成した情報をユーザ端末２０および表示装置３０に送信する。また、送信手段４０３は、メール送信機能を含んでいる。
【００５３】
次に、本発明の第１の実施の形態の動作について、図１〜図９を用いて詳細に説明する。
【００５４】
図６を参照すると、まず、駐車場利用者は、入庫の際に駐車場端末システム１０の入力装置１０２で駐車予定時間数を入力し、駐車場端末システム１０のメール情報取得部１０１とユーザ端末２０とを接続する。駐車場端末システム１０のメール情報取得部１０１は、ユーザ端末２０からメール情報を取得する（ステップＳ１）。
【００５５】
駐車場端末システム１０は、発券機１０４より駐車券を発券すると同時に、通信装置１０３と通信ネットワーク１００を介して、管理サーバ４０に駐車予定時間数とユーザ端末２０のメール情報と入庫時刻とを送信する（ステップＳ２）。
【００５６】
管理サーバ４０では、駐車場端末システム１０から受信した入庫時刻と駐車予定時間数とを基に出庫予定時刻情報を計算し、当該出庫予定時刻情報を入庫車情報として記憶領域に登録する（ステップＳ３）。
【００５７】
入庫車情報から案内情報を生成し、案内情報を一定時間ごとに表示装置３０へ送信する（ステップＳ４）。
【００５８】
表示装置３０は、管理サーバ４０から通信ネットワーク１００を介して受信した案内情報を基に、当該駐車場の利用状況を表示する（ステップＳ５）。利用状況には、当該駐車場の許容台数，現在利用台数，現在利用可能台数，および出庫予定台数などの情報を含む。利用状況の例を図９に示す。
【００５９】
管理サーバ４０は、出庫予定時刻の一定時間前で、まだ出庫していない場合に、出庫時刻到来通知および積算金額をメールでユーザ端末２０に対して送信する（ステップＳ６）。出庫時刻到来通知および積算金額のメールの例を図７に示す。駐車場利用者は、その出庫時刻到来通知を確認し、出庫する場合は当該駐車場へ向かう。
【００６０】
駐車場利用客が出庫予定時間を延長する場合、ユーザ端末２０は、出庫時刻到来通知が送られてきたメールに対して変更する出庫予定時刻情報を送信する（ステップＳ７）。
【００６１】
駐車場利用者がユーザ端末２０で送信した出庫予定時刻変更情報は、通信ネットワーク１００を介して、管理サーバ４０に送信される。管理サーバ４０は、受信した出庫予定時刻変更情報を基に入庫車情報を更新し、案内情報を生成する（ステップＳ８）。
【００６２】
管理サーバ４０は、案内情報を一定時間ごとに表示装置３０へ送信する（ステップＳ９）。
【００６３】
再度、出庫予定時刻の一定時間前で、まだ出庫していない場合に、管理サーバ４０からユーザ端末２０に、出庫予定情報がメールで送信される(ステップＳ１０)。駐車場利用者は、その出庫予定情報を確認し、出庫する場合は当該駐車場へ向かう。また、再度、時間を延長する場合、ユーザ端末２０は、出庫予定情報が送られてきたメールに対して出庫予定変更情報を送信することで、駐車場利用者は出庫予定時刻を変更する。
【００６４】
一方、出庫予定時刻変更情報を送信することなく出庫予定時刻を過ぎた場合、管理サーバ４０は、確認メールをユーザ端末２０に送信する（ステップＳ１１）。駐車場利用者の意識を促す。出庫予定時刻の確認メールの例を図８に示す。
【００６５】
駐車場利用客が、清算を済ませ出庫する際に、駐車場端末システム１０から管理サーバ４０へ出庫情報を送信する（ステップＳ１２）。
【００６６】
管理サーバ４０は、駐車場端末システム１０から受信した出庫情報に基づき該当する入庫車情報を削除する（ステップＳ１３）。
【００６７】
管理サーバ４０は、利用状況を含む案内情報を再生成して表示装置３０へ送信する。駐車場利用希望者は、表示装置３０に表示された利用状況を参照することにより、当該駐車場の利用状況を確認する。当該駐車場が満車である場合は、利用者は、表示装置３０に表示される利用状況から、当該駐車場が空くまで待つか、それとも移動して他の駐車場を探すかを選択する。
【００６８】
本発明の第１の実施の形態の構成と動作により、以下の効果を有する。
【００６９】
駐車場利用者は、駐車した場合に、出庫予定情報と積算金額を事前に確認することができる。その理由は、利用者に出庫予定時刻到来通知と積算金額をメールで通知するようにしたからである。
【００７０】
また、当該駐車場が満車である場合、駐車場利用予定者を当該駐車場の空車待ち利用者として引き止めることができ、より駐車場の稼働率を上げることができる。その理由は、案内情報として出庫予定状況を表示するようにしたからである。なにより、空車待ちの駐車場利用者にとって、ただ待ち続けるのではなく、ある程度の状況が把握できれば他の作業も行えるため、その効果は顕著である。
【００７１】
次に、本発明の第２の実施の形態について説明する。
【００７２】
第１の実施の形態では、予め決められた時間前になったら出庫予定時刻到来通知をユーザ端末２０に送信しているが、第２の実施の形態では、出庫予定時刻到来通知が通知される時間を入力装置１０２で設定できる点が異なる。
【００７３】
駐車場利用者は、入庫の際に駐車場端末システム１０の入力装置１０２で駐車予定時間数を入力すると共に出庫予定時刻到来通知時間（例えば、出庫予定時刻の３０分前）を入力する。
【００７４】
管理サーバ４０は、出庫予定時刻（出庫予定時刻＝入庫時刻＋駐車予定時間数）から現在時刻を減算する。減算した結果が、入力装置１０２から入力した出庫予定時刻到来通知時間であれば、ユーザ端末２０に通知する出庫予定時刻到来通知を生成する。そして、生成した出庫予定時刻到来通知をユーザ端末２０に送信する。
【００７５】
本発明の第２の実施の形態は、以下の効果を有する。
【００７６】
駐車中の利用者は、余裕を持って出庫予定時刻を迎えることができる。その理由は、駐車中に行う行動を考慮して、出庫予定時刻到来通知が通知される時刻を利用者が設定できるようにしたからである。
【図面の簡単な説明】
【００７７】
【図１】本発明の実施の形態の構成を示すブロック図である。
【図２】本発明の実施の形態における駐車場端末システム１０の構成を示す図である。
【図３】本発明の実施の形態におけるユーザ端末２０の構成を示す図である。
【図４】本発明の実施の形態における表示装置３０の構成を示す図である。
【図５】本発明の実施の形態における管理サーバ４０の構成を示す図である。
【図６】本発明の実施の形態の動作を示す流れ図である。
【図７】本発明の実施の形態における出庫時刻到来通知および積算金額のメールの例を示す図である。
【図８】本発明の実施の形態における出庫予定時刻の確認メールの例を示す図である。
【図９】本発明の実施の形態における利用状況の例を示す図である。
【図１０】本発明の実施の形態における管理テーブルの例を示す図である。
【符号の説明】
【００７８】
１０    駐車場端末システム
２０    ユーザ端末
３０    表示装置
４０    管理サーバ
１００    通信ネットワーク
１０１    メール情報取得部
１０２    入力装置
１０３    通信装置
１０４    発券機
２０１    受信手段
２０２    送信手段
２０３    出庫予定変更時刻入力手段
２０４    表示手段
３０１    受信手段
３０２    表示手段
４０１    受信手段
４０２    生成手段
４０３    送信手段
【図１】
2008003975.tif 000003
【図２】
2008003975.tif 000004
【図３】
2008003975.tif 000005
【図４】
2008003975.tif 000006
【図５】
2008003975.tif 000007
【図６】
2008003975.tif 000008
【図７】
2008003975.tif 000009
【図８】
2008003975.tif 000010
【図９】
2008003975.tif 000011
【図１０】
2008003975.tif 000012